(57)【要約】      （修正有）【解決手段】ポットＰの上部開口部１ａが設置した栽培用トレーＴから所定距離Ｌ隔てた位置に来るように、ポットＰを栽培用トレーＴの孔ｔに設置する。ポットＰの胴部分に前記トレーＴに溜まった水を流入させ得る孔４，４を放射状に形成する。【効果】イチゴの苗Ｄのランナーｄや葉ｄ’が位置するところは栽培用トレーＴから所定距離Ｌ隔てたところに来る。したがって、給水した場合や雨が降って栽培用トレーＴで水が跳ね返ったとしても、ランナーｄや葉ｄ’の裏に泥や水滴がくっつくことがほとんどない。黒斑病などの病気に掛かる確率はほとんどが無く、良い苗を育てることができる。栽培用トレーＴに溜まった水は、ポットＰの胴部分に形成されている多数の放射状の孔４，４からポットＰ内に流入する。【選択図】図４
0003128680.tif 000002
【実用新案登録請求の範囲】
【請求項１】
ポットの上部開口部が設置した栽培用トレーから所定距離隔てた位置に来るように、ポットを栽培用トレーに設置するとともに、ポットの胴部分に前記トレーに溜まった水を流入させ得る孔を放射状に形成したことを特徴とするイチゴ育苗用ポット。
【請求項２】
放射状の孔を縦方向に長く形成したことを特徴とする請求項１記載のイチゴ育苗用ポット。
【請求項３】
ポット上部に水受け用の鍔が形成されていることを特徴とする請求項１又は２記載のイチゴ育苗用ポット。
【請求項４】
水受け用の鍔の上面に、ポットの上部開口部の外周方において前記上部開口部の周壁の上端面よりもわずかに低いループ状の水平面が形成され、このループ状の水平面に続いて外方に行くにしたがって徐々に高くなる傾斜面を備えていることを特徴とする請求項３記載のイチゴ育苗用ポット。
【考案の詳細な説明】
【技術分野】
【０００１】
本考案は、イチゴ育苗用ポットに関し、さらに詳しくは、それを栽培用トレーに設置したときポットの上部開口部が前記トレーから所定距離隔てた位置に来るようにするとともに、ポットの胴部分に放射状の孔を形成したものに関する。
【背景技術】
【０００２】
品質の良いイチゴを収穫するためには良い苗を育てなければならない。ところが、イチゴの苗は栽培が非常に難しく、しばしば病気にかかりやすい。この育てにくい苗を育てるに当って、従来は縦横方向に多数の孔を有する栽培用トレーを用い、前記多数の孔に育苗用ポットを収納していた（例えば、特許文献１参照）。
【０００３】
【特許文献１】特開平９−２９４４７８号公報
【考案の開示】
【考案が解決しようとする課題】
【０００４】
しかしながら、栽培用トレーの多数の孔に育苗用ポットを収納してイチゴの苗を育てた場合には、給水した場合や雨が降ったとき育苗用ポットで水が跳ね返り、ランナーや葉の裏に泥や水滴がくっつきやすいので、黒斑病などの病気に掛かる確率が極めて高く、良い苗を育てることができない。
【０００５】
そこで、本考案では、給水した場合や雨が降っても育苗用ポットで水が跳ね返ることが無いように工夫し、もって、従来の欠点を解消するとともに、ポットの胴部分に工夫を施して苗の育成をさらに良好ならしめ得るようにしたものである。
【課題を解決するための手段】
【０００６】
上記目的を達成するために、本考案では、ポットの上部開口部が設置した栽培用トレーから所定距離隔てた位置に来るように、ポットを栽培用トレーに設置するとともに、ポットの胴部分に前記トレーに溜まった水を流入させ得る孔を放射状に形成したものである。
このイチゴ育苗用ポットを用いてイチゴの苗を育てた場合には、苗のランナーや葉が位置するところは栽培用トレーから所定距離隔てたところであり、給水した場合や雨が降って栽培用トレーで水が跳ね返ったとしても、ランナーや葉の裏に泥や水滴がくっつくことがほとんどないので、黒斑病などの病気に掛かる確率はほとんどが無く、良い苗を育てることができる。
【０００７】
また、栽培用トレーに溜まった水は、ポットの胴部分に形成されている多数の放射状の孔からポット内に流入するので、ポットの上部開口部以外の胴回りからの均等な給水が可能であるのみならず、ポットの高さ方向における中ほどの位置から給水できる。さらに、多数の放射状の孔は前記給水の他に通気性を良好ならしめ得る。このように、様々な機能を有する多数の放射状の孔がポットの胴部分に形成されているので、イチゴの苗の育成をさらに良好ならしめることができる。
【０００８】
放射状の孔を縦方向に長く形成することが望ましい。放射状の孔が縦方向に長く形成されていると、放射状の孔の開口面積がそれだけ大きくなるので、栽培用トレーに溜まった水が縦方向に長い放射状の孔から万遍無くポット内に流れ込みやすいのみならず、通気性もさらに向上する。
【０００９】
ポット上部に水受け用の鍔が形成されていることが望ましい。ポット上部に水受け用の鍔が形成されていると、栽培用トレーで水が跳ね返ったとしても前記鍔で遮られて苗のランナーや葉にかかりにくい。したがって、黒斑病などの病気に掛かる度合いをさらに少なくすることができ、一層良い苗を育てることができる。
【００１０】
水受け用の鍔の上面に、ポットの上部開口部の外周方において前記上部開口部の周壁の上端面よりもわずかに低いループ状の水平面が形成され、このループ状の水平面に続いて外方に行くにしたがって徐々に高くなる傾斜面を備えていることが望ましい。水受け用の鍔の上面がこのようになっていると、ポットＰの上方から撒かれた水は鍔３の傾斜面３ｂを流下し、前記周壁によりループ状の水平面３ａに一旦受け止められ、前記周壁の上端面から溢れ出た水がポットの上部開口部の周囲から均等にポット内に流れ込むので、ポット内に入れられている培土上に均等に、かつ、万遍無く撒かれることになる。したがって、ポットＰ内の培土が流れ込む水で掘れることがなく、ポットに植えているイチゴの苗に影響を及ぼすことがなく、より一層良い苗を育てることができる。
【考案の効果】
【００１１】
請求項１記載のイチゴ育苗用ポットを用いた場合には、黒斑病などの病気に掛かる確率をほとんどが無くすことができ、良い苗を育てることができる。また、ポットの胴部分に多数の放射状の孔が形成されているので、イチゴの苗の育成をさらに良好ならしめることができる。
【００１２】
請求項２記載のイチゴ育苗用ポットを用いた場合には、栽培用トレーに溜まった水が縦方向に長い放射状の孔から万遍無くポット内に流れ込みやすいのみならず、通気性もさらに向上する。
【００１３】
請求項３記載のイチゴ育苗用ポットを用いた場合には、黒斑病などの病気に掛かる度合いをさらに少なくすることができ、一層良い苗を育てることができる。
【００１４】
請求項４記載のイチゴ育苗用ポットを用いた場合には、ポットＰ内の培土が流れ込む水で掘れることがなく、ポットに植えているイチゴの苗に影響を及ぼすことがないので、より一層良い苗を育てることができる。
【考案を実施するための最良の形態】
【００１５】
本考案に係るイチゴ育苗用ポットの一例を、図面を参照しながら詳細に説明する。
ここに例示するイチゴ育苗用ポットＰは、図１〜図３に示すように、下方に行くにしたがって徐々に小径となる円筒体１と、この円筒体１の下端からさらに連続して下方に行くにしたがって徐々に小径となる有底の円筒体２と、前記円筒体１の上端付近から外周方に広がる６角形状の鍔３を備えている。
【００１６】
そして、このポットＰの胴部分である前記円筒体１の周壁には、高さ方向のほぼ中ほどに多数の放射状の孔４，４が、また、前記円筒体２には、その底壁２ａから周壁の中ほどに延びる複数個の放射状の孔５，５が、それぞれ縦方向に長く形成されている。さらに、前記円筒体２の底壁２ａには、複数個の孔６が形成されている。ここでは、放射状の孔４の数を１２個とした場合が例示されているが、１８個程度に増やしてもよい。また、ここでは、放射状の孔５の数を３個、孔６の数も３個とした場合が例示されているが、それらの数を適宜増減することができる。
前記円筒体１、円筒体２および鍔３はいずれもポリエチレン、ポリプロピレンその他の合成樹脂で一体的に形成されている。縦方向に長い前記放射状の孔４，５は、成形の技術によって成形の際に同時に形成することができる。
【００１７】
図４(a)、(b)に示すように、栽培用トレーＴに縦横一定間隔で多数配置されているポット載置用の円形状の孔ｔ，ｔに、それぞれポットＰ，Ｐを嵌め込むことにより、１つの栽培用トレーＴに多数のポットＰ，Ｐを並べるように設置することができる。図５に示すように、ポットＰの円筒体１、円筒体２内に培土Ｃを入れ、そこにイチゴの苗Ｄを植え、それらを１つの栽培用トレーＴに多数載置し、これらの栽培用トレーＴ，Ｔを縦横に多数並べることにより、多数のイチゴの苗Ｄ，Ｄを広い敷地内で育てることができる。
【００１８】
栽培用トレーＴの各孔ｔ，ｔに、ここに例示するポットＰ，Ｐをそれぞれ嵌め込むと、各ポットＰ，Ｐの各上部開口部１ａ，１ａや前記各鍔３が設置した栽培用トレーＴから所定距離隔てた位置に来るようにすることができる。例えば、図４における栽培用トレーＴと鍔３との距離Ｌは、下方に行くにしたがって徐々に小径となる円筒体１の外径の大きさと、栽培用トレーＴに形成した孔ｔの内径の大きさにより、自由に変更できるので、少なくとも鍔３の位置を、設置した栽培用トレーＴから所定距離隔てた位置に来るようにすることができる。
なお、図４(b)には、多数のポットＰ，Ｐの１つにイチゴの苗Ｄを植えた状態を鎖線で示す。
【００１９】
このように、前記鍔３が設置した栽培用トレーＴから所定距離Ｌ隔てた位置に来るように、栽培用トレーＴの各孔ｔ，ｔにポットＰ，Ｐをそれぞれ嵌め込み、各ポットＰ，Ｐでイチゴの苗Ｄを育てると、苗Ｄのランナーｂや葉ｂ’が位置するところは栽培用トレーＴから所定距離Ｌ隔てたところであり、給水した場合や雨が降って栽培用トレーＴで水が跳ね返ったとしても、ランナーｂや葉ｂ’の裏に泥や水滴がくっつくことがほとんどない。したがって、黒斑病などの病気に掛かる確率はほとんどが無く、良い苗を育てることができる。
【００２０】
また、栽培用トレーＴの各孔ｔ，ｔにポットＰ，Ｐを嵌め込んだ場合において、ポットＰの円筒体１に形成されている多数の放射状の孔４，４を、栽培用トレーＴ付近に位置させることができる。このようにすると、栽培用トレーＴに溜まった水は多数の放射状の孔４，４からポットＰ内に流入するので、ポットＰの上部開口部１ａ以外の胴回りからの均等な給水が可能であるのみならず、ポットＰの高さ方向における中ほどの位置から給水できる。さらに、多数の放射状の孔４，４はポットＰに適度の通気性を付与するのにも役立つ。
このように、多数の放射状の孔４，４がポットＰの円筒体１のほぼ中ほどに形成されているので、イチゴの苗Ｄの育成に最も適する水分量を培土Ｃに付与することができ、イチゴの苗Ｄの育成をさらに良好ならしめることができる。
【００２１】
多数の放射状の孔４，４は縦方向に長く形成されているので、放射状の孔４，４の開口面積がそれだけ大きくなる。したがって、栽培用トレーＴに溜まった水が縦方向に長い放射状の孔４、４から万遍無くポットＰ内に流れ込みやすいのみならず、通気性もさらに向上する。
【００２２】
また、ポットＰ上部に水受け用の鍔３が形成されているので、栽培用トレーＴで水が跳ね返ったとしても前記鍔３で遮られて苗Ｄのランナーｂや葉ｂ’にかかりにくい。したがって、黒斑病などの病気に掛かる度合いをさらに少なくすることができ、一層良い苗を育てることができる。
【００２３】
水受け用の鍔３の上面には、円筒体１の上部開口部１ａの外周方において前記上部開口部１ａの周壁１ｂの上端面１ｃよりもわずかに低いループ状の水平面３ａが形成され、このループ状の水平面３ａに続いて外方に行くにしたがって徐々に高くなる傾斜面３ｂが、さらに、その外方を囲む囲い枠３ｃが一体的に形成されている。また、前記傾斜面３ｂのうち６角形の対角線を通る位置には溝３ｄがそれぞれ形成されている。
【００２４】
ポットＰ上部にこのような鍔３が形成されていると、ポットＰの上方から撒かれた水は水受け用の鍔３の囲い枠３ｃ内で受け止められて傾斜面３ｂを流下し、前記上部開口部１ａの周壁１ｂの上端面１ｃよりもわずかに低いループ状の水平面３ａに一旦受け止められ、前記周壁１ｂの上端面１ｃから溢れ出た水が円筒体１の上部開口部１ａの周囲から均等に円筒体１内に流れ込むので、円筒体１内に入れられている培土Ａ上に均等に、かつ、万遍無く撒かれることになる。したがって、ポットＰ内の培土Ｃが流れ込む水で掘れることがなく、ポットＰに植えているイチゴの苗Ｄに影響を及ぼすことがない。
【００２５】
また、鍔３には囲い枠３ｃが形成されており、しかも、鍔３の上面には対角線方向に溝３ｄ，３ｄが形成されているので、ポットＰの上方から撒かれた水は囲い枠３ｃ内で受け止められ、対角線方向の溝３ｄ，３ｄによって巧みに集められてループ状の水平面３ａに誘導させることができる。したがって、ポットＰ内の培土Ｃが流れ込む水で掘れることがさらになくなり、ポットＰに植えているイチゴの苗Ｄに全くと言って良いほど影響を及ぼさない。
【００２６】
前記鍔３の傾斜面３ｂには、適度の間隔を置いて多数の貫通孔３ｅ，３ｅが形成されている。図５において符号Ｅで示す逆Ｕ字状のランナー押えの脚部分を、隣接する貫通孔３ｅ，３ｅに差し込むことにより、ポットＰの四方に延び出るランナーｂを鍔３の好ましい位置に押えることができるので、ランナーｂがみだりに動くのを防止できる。
【００２７】
なお、前記円筒体１および円筒体２に入れられている培土Ｃに含まれている水分が多過ぎる場合には、前記円筒体２の底壁２ａに形成されている複数個の孔６，６から排水ないし蒸発させることができる。したがって、イチゴの苗Ｄの育成に最も適する水分量を絶えず培土Ｃに付与することができ、イチゴの苗Ｄの育成をより一層良好ならしめることができる。
【図面の簡単な説明】
【００２８】
【図１】本考案に係るイチゴ育苗用ポットの一例を示す図で、(a)は平面図、(b)は正面図である。
【図２】図１のＡ−Ａ線断面図である。
【図３】図１のＢ−Ｂ線断面図である。
【図４】栽培用トレーの各孔に、図１に示すポットをそれぞれ嵌め込んだ状態を示す図で、(a)はその平面図、(b)は正面図である。
【図５】図１に示すポットに培土を入れ、イチゴの苗を植えて育てている様子を示す一部切欠の正面図である。
【符号の説明】
【００２９】
１，２…円筒体、１ａ…上部開口部、１ｂ…周壁、１ｃ…上端面、２…有底筒体、２ａ…底壁、３…鍔、３ａ…水平面、３ｂ…傾斜面、４，５…放射状の孔、６…孔、Ｃ…培土、Ｄ…イチゴの苗、ｄ…ランナー、ｄ’…葉、Ｐ…ポット、Ｔ…栽培用トレー、ｔ…孔。
【図１】
0003128680.tif 000003
【図２】
0003128680.tif 000004
【図３】
0003128680.tif 000005
【図４】
0003128680.tif 000006
【図５】
0003128680.tif 000007